(57)【要約】      （修正有）【課題】地震や竜巻などによって家屋が倒壊するなどの災害が発生した場合に人命の安全を屋内において確保するための屋内設置型の防災シェルタを提供する。【解決手段】防災シェルタは、シェルタ本体に密閉状に閉塞される出入り口２を設けてなり、避難空間Ｍのドーム壁部ｍ１を形成する壁構成部材５と、避難空間Ｍの平坦な床部（底部）ｍ２を形成する床構成部材６とから組み立て構成される。また、シェルタ本体は、塵埃などによって汚された汚染空気を清浄化して避難空間Ｍに取り込むための空気浄化フィルタ１７を空気口４ｂに備えている。【選択図】図１
0003177637.tif 000002
【実用新案登録請求の範囲】
【請求項１】
避難空間を内部に有する屋内設置型の防災シェルタであって、
ドーム状または箱状に構成されるシェルタ本体に、密閉状に閉塞される出入り口を設けてなり、
前記シェルタ本体は、前記避難空間の空気口に空気浄化フィルタを備えていることを特徴とする防災シェルタ。
【請求項２】
前記シェルタ本体は、前記避難空間のドーム壁部を形成する壁構成部材と、床部を形成する床構成部材とから組み立て構成され、
前記壁構成部材および前記床構成部材は、複数に分割されて接合により組み立てられるそれぞれの壁分割体および床分割体からなることを特徴とする請求項１に記載の防災シェルタ。
【請求項３】
前記壁分割体が、前記ドーム壁部のドーム頂部を中心に平面視で複数に等分割されていることを特徴とする請求項２に記載の防災シェルタ。
【考案の詳細な説明】
【技術分野】
【０００１】
本考案は、防災シェルタに係り、特に、地震や竜巻などによって家屋が倒壊するなどの災害が発生した場合に人命の安全を屋内において確保するための屋内設置型の防災シェルタに関する。
【背景技術】
【０００２】
阪神・淡路大震災、新潟中越地震、そして東日本大震災などの大規模な地震では、倒壊した家屋などの下敷きになったりして多くの人命が失われている。特に、鉄筋コンクリートや鉄骨作りの建物に比べて耐震強度が劣る木造家屋などにおいては倒壊確率が高い。
【０００３】
ところで、防災シェルタは、一般的に、建物の外に設置される屋外設置型が主流で、健常者が目覚めて起きた状態でいるときに地震などが発生した場合には、即座に屋外のシェルタへと走って逃げ込み避難することができるが、就寝中には、健常者であっても即座に走って逃げ出すことは困難を要し、ましてや、寝たきりの老人や病人などは覚醒状態であっても避難は極めて困難である。
【０００４】
そこで、地震などによって家屋が倒壊するなどの災害が発生した場合、居住者は屋外まで逃げ出すことなく、屋内において人命の安全を確保することができる屋内設置型として開発された防災シェルタが提案されている（例えば、特許文献１および特許文献２などを参照）。
【０００５】
例えば、特許文献１に記載の防災シェルタ（耐震用シェルタ）は、鋼鉄製躯体の天井面にパネルを取り付け、躯体の床面に床板を張るとともに、躯体の側面を壁で覆い、かつ、避難口を設けてなる構造体を屋内の居住空間に独立させて設置し得るように構成されている。これにより、家屋が倒壊するなどの災害発生時に健常者は勿論、寝たきりの老人や病人などをもシェルタへと運び込むなどによって即座に避難させて倒壊した家屋から家族などの人命の安全を確保することができる。
【先行技術文献】
【特許文献】
【０００６】
【特許文献１】特開２００３−３２８５８４号公報
【特許文献２】特開２００７−１４６５８１号公報
【考案の概要】
【考案が解決しようとする課題】
【０００７】
ところで、大規模な地震などが発生した場合には、家屋が倒壊するなどの災害に加えて、例えば、家屋の倒壊などによる塵埃や悪臭などの有害成分によって汚された汚染空気などが発生するなどの災難が追い打ちをかけるように発生することが予測される。
【０００８】
しかしながら、特許文献１および特許文献２に記載の従来技術では、塵埃などの有害成分による汚染空気などの発生に対する対策を講じていないために、汚染空気などが発生し、救助が来るまでの時間が長引くなどの状況が発生した場合には崩壊した家屋などの下敷きにならないように逃れた避難者（居住者）に汚染空気などによる新たな不安を与える問題が発生するおそれがある。
【０００９】
本考案は、このような問題を解消することを課題に創案されたものである。すなわち、倒壊した家屋などから人命の安全を確保することは勿論、汚染空気などが発生した場合でも人命に害がない安全な空気に清浄化して避難空間に取り入れることができること、また、日々の生活や就寝代わりとして日常的に使用することができること、などが本考案の目的である。
【課題を解決するための手段】
【００１０】
前記課題を解決するために、本考案に係る防災シェルタでは少なくとも以下の構成を具備している。
すなわち、避難空間を内部に有する屋内設置型の防災シェルタであって、
ドーム状または箱状に構成されるシェルタ本体に、密閉状に閉塞される出入り口を備えてなり、前記シェルタ本体は、１乃至数カ所に設けた前記避難空間の空気口に少なくとも空気浄化フィルタなどの空気浄化フィルタを備えていることを特徴とする。
ここで、空気浄化フィルタとしては、防塵フィルタ、そして、空気中に浮遊する塵埃（粉塵）などを除塵、集塵、捕集などによって分離除去する機能を有するフィルタなどをあげることができる。また、実施化が可能であれば、有毒ガスなどのガス漏れなどに対応させるガス除去フィルタ（防毒フィルタ）を挙げることができる。
このような構成によれば、倒壊した家屋などの下敷きになることから逃れて人命の安全が確保されるとともに、万が一、汚染空気などが発生した場合でも救助が来るまでの間、清浄化した安全な空気として避難空気に取り入れながら避難者の人命の安全を確保することができる。つまり、空気口に備えた空気浄化フィルタ、例えば、防塵フィルタによって、空気中に浮遊する塵埃などの有害成分を分離除去して人命に害がない安全な空気として避難空間に取り入れることができる。
【００１１】
また、前記シェルタ本体は、前記避難空間のドーム壁部を形成する壁構成部材と、当該避難空間の床部を形成する床構成部材とから組み立て構成され、前記壁構成部材および前記床構成部材は、複数に分割されて接合により組み立てられるそれぞれの壁分割体および床分割体からなること、また、前記壁分割体が、前記ドーム壁部のドーム頂部を中心に平面視で複数に等分割されていること、などの構成を採用することが好適なものとなる。
これにより、シェルタ本体を組み立て構成する壁構成部材および底構成部材を、例えば、生産工場などからトラックなどに搭載して搬送（運搬）すとき、そして、既設家屋の室内に搬入するときなどにおいて、分割された壁分割体及び床分割体単位で取り扱うことができるので、搬送や搬入などの取扱い性が簡便である。
また、ドーム壁部を組み立てるとき、そのドーム頂部を中心に等分割されている壁分割体を順次に隣り合わせ接合するという組み立て作業によってドーム壁部を組み立て構成することができる。
【００１２】
ここで、前記避難空間の床部の広さを、大人が足を伸ばした状態で横たわることができる例えば、直径で１８００〜２０００ｍｍ程度とすることが好ましい。これにより、避難空間を寝室代わりなどとして日常的な生活空間に使用することができる。つまり、就寝中に地震などが発生して家屋が倒壊した場合でも屋外に逃げ出すことなく人命の安全が確保される。
【考案の効果】
【００１３】
本考案の室内設置型の防災シェルタによれば、地震などにより家屋が倒壊するなど災害が発生した場合、屋外に逃げ出すことなく、避難空間に逃げ込み避難することで人命の安全が確保され、しかも、万が一、汚染空気などが発生した場合でも救助が来るまでの間、避難空間に安全な空気を取り入れながら人命の安全を確保することができる。
【００１４】
また、シェルタ本体は、複数の壁分割体からなる壁構成部材によって避難空間のドーム壁部が組み立て構成され、複数の床分割体からなる床構成部材によって避難空間の床部が組み立て構成されるようにしてなることで、トラックなどによる搬送や既設家屋の室内に組み立て設置するときの搬入などにおける取扱い性などが簡便となる。また、ドーム頂部を中心に等分割されている壁分割体によって避難空間のドーム壁部を作業性よく、短時間で組み立て構成することができる。
また、シェルタ本体はドーム状に形成されている。つまり、避難空間の外周壁部をドーム壁部としていることで、外部からの衝撃や荷重などに対する耐衝撃性能や耐荷重性能などに優れたものとなる。
【図面の簡単な説明】
【００１５】
【図１】本考案の実施形態に係る防災シェルタの全体構成を示す縦断説明図である。
【図２】同横断説明図である。
【図３】避難空間のドーム壁部および床部を構成する壁構成部材の壁分割体および床構成部材の床分割体を分解した状態で示す同横断説明図である。
【図４】図１のＩＶ−ＩＶ線拡大横断面図であり、（ａ）は、出入り口の開閉扉が閉じられている状態を示し、（ｂ）は、開閉扉が内側（避難空間側）を開いて出入り口が開いている状態を示す。
【図５】出入り口に対して開閉扉を密閉状に閉塞する締付け密閉機構の一例を示し、（ａ）は、ロック状態を示し、（ｂ）は、ロックが解除された状態を示す。
【考案を実施するための形態】
【００１６】
以下、本考案の実施形態について、適宜図面を参照しながら詳細に説明する。
本考案の実施形態に係る防災シェルタＡは、既設家屋や新築家屋における室内に設置されて、地震や竜巻などが災害発生時に家屋の倒壊に備えて避難空間Ｍに直ちに逃げ込み避難することで、住居者（避難者）は屋外まで逃げ出すことなく、屋内において人命の安全を確保するための屋内設置型である。
【００１７】
≪防災シェルタの説明≫
図１は、本考案の実施形態に係る防災シェルタの全体構成を示す縦断説明図であり、図２は、同横断説明図である。
防災シェルタＡは、図１に示すように、ドーム状に構成されるシェルタ本体１の一部に開閉扉３によって密閉状に閉塞される出入り口２を備えている。また、防災シェルタＡは、シェルタ本体１の１乃至数カ所に避難空間Ｍの後記する空気口４ａ，４ｂを備えている。
また、図示を省略しているが、防災シェルタＡは、逆止弁などを備えた排気口を備えて、空気口４ａ，４ｂから避難空間Ｍに外部の空気が取り入れられるに対し、避難空間Ｍ内の空気が排気口から外部に排気されるようにしている。
【００１８】
≪シェルタ本体の説明≫
シェルタ本体１は、図１に示すように、避難空間Ｍのドーム壁部ｍ１を形成する壁構成部材５と、避難空間Ｍの平坦な床部（底部）ｍ２を形成する床構成部材６とから組み立て構成される。
避難空間Ｍの床部ｍ２の広さ（直径）は、特に限定されるものではないが、大人が足を延ばして横たわる通常の就寝姿勢で大人から子供数人が寝ることができるように形成することが好ましい。例えば、避難空間Ｍを寝室代わりなどとして日常的な生活空間として使用することができるように、１８００〜２０００ｍｍ程度の直径に形成することが好ましい。
【００１９】
≪壁構成部材および床構成部材の説明≫
図３は、避難空間のドーム壁部および床部を構成する壁構成部材の壁分割体および床構成部材の床分割体を分解した状態で示す横断説明図である。ここでは、図１および図２を適宜参照しながら説明する。
壁構成部材５および床構成部材６は、地震や竜巻などの災害によって倒壊した家屋などからの落下物の衝突やその荷重などによって安易に破損するおそれがない剛性（強度）を有する材料、例えば、ガラス繊維またはナイロンやビニロン繊維などを補強材として加えてなる繊維強化プラスチック（ＦＲＰ：Fiber Reinforced Plastic）などの強化プラスチックによって形成されている。
【００２０】
壁構成部材５は、図２に示すように、ドーム壁部Ｍ１のドーム頂部Ｐを中心に平面視で円周方向に等分割、図示例では４等分させた壁分割体５ａからなる。
４等分された壁分割体５ａは、図２および図３に示すように、分割縁部（突き合わせ接合縁部）に外向きの接合フランジ７を一体に備えて、接合フランジ７の間にパッキン８を介在させてボルト・ナット９により締結されることで、ドーム壁部Ｍ１を組み立て構成するように形成されている。
パッキン８は、ボルト・ナット９により締結される接合フランジ７間の気密性などを図るゴムその他の素材によって接合フランジ７の幅に相当する帯状に形成されている。
【００２１】
また、壁構成部材５の壁分割体５ａは、図１に示すように、床構成部材６の後記する床分割体６ａの円周縁部にボルト・ナット９によって締結される下辺縁部側に、接合フランジ７に連設させた外向きの下辺フランジ１０を一体に備えている。これにより、外部からの衝撃や荷重などに対する壁構成部材５（ドーム壁部ｍ１）の耐久性などの強度を向上させてなる。
【００２２】
床構成部材６は、図１〜図３に示すように、避難空間Ｍの平面視真円形状で平坦に形成される床部ｍ２を、半円状に２等分する床分割体６ａからなる。
２等分された床分割体６ａは、図１〜図３に示すように、分割縁部（突き合わせ接合縁部）に下向きの接合フランジ１１ａを一体に備えて、接合フランジ１１ａの間にパッキン８を介在させてボルト・ナット９によって締結されることで、避難空間Ｍの平坦な床部ｍ２を組み立て構成するように形成されている。
【００２３】
また、２等分された床分割体６ａは、図１〜図３に示すように、接合フランジ１１ａに連設させた下向きの接合フランジ１１ｂを円周縁部に一体に備えている。これにより、ドーム壁部ｍ１を組み立て構成する壁構成部材５の壁分割体５ａの下辺縁部側と接合フランジ１１ｂとの間にパッキン８を介在させてボルト・ナット９によって床分割体６ａの円周縁部が壁分割体５ａの下辺縁部側に締結されるようにしている。
【００２４】
なお、図示を省略しているが、避難空間Ｍのドーム壁部ｍ１の内表面や床部ｍ２の表面などに、外部衝撃などを軽減するための緩衝効果を有するものや断熱・保温効果を有する内装材などの内張りを施すことができる。
【００２５】
そして、本実施形態では、避難空間Ｍのドーム壁部ｍ１を組み立て構成する壁構成部材５の壁分割体５ａのうち、図２および図３に示すように、一つの壁分割体５ａに開閉扉３により密閉状に閉塞される出入り口２を備えている。
【００２６】
≪出入り口の説明≫
図４は、図１のＩＶ−ＩＶ線拡大横断面図である。ここでは、図１〜図３を適宜参照しながら説明する。
出入り口２は、避難空間Ｍへ日常的に出入りし易く、また、災害発生時に寝たきりの老人や病人などを速やかに運び込み避難させることができる程度の開口高さと幅を有する大きさに開口されて、図４の（ｂ）に示すように、内側（避難空間Ｍ側）に開く開閉扉３によって閉塞されるように形成されている。
【００２７】
そして、出入り口２の内向き開口段部面には、図２および図４に示すように、Ｏリング１２が取り付けられており、後記する締付け密閉機構１３による開閉扉３の圧接によって出入り口２が密閉状に閉塞されるようにしている。Ｏリング１２は、塵埃（粉塵）などを完全に遮断する気密性などに優れた素材からなるシール部材である。
【００２８】
出入り口２を密閉状に閉塞する開閉扉３は、強化プラスチックなどによって出入り口２の開口縁形状に沿う大きさに形成されている。この開閉扉３は、図２および図４に示すように、ヒンジ部材１４を軸として内開き開閉自在と成して、締付け密閉機構１３の閉じ回転操作（締付け操作）によるＯリング１２への圧接（図２および図４（ａ）の状態）によって出入り口２を密閉状に閉塞するようになっている。
そして、開閉扉３は、図１〜図４に示すように、透明または半透明の強化プラスチックや強化ガラスなどからなる窓１５を備えている。
【００２９】
≪締付け密閉機構の説明≫
図５は、締付け密閉機構の一例を示す。ここでは、図４を適宜参照しながら説明する。
締付け密閉機構１３は、図４および図５に示すように、開閉扉３側に取り付けられる回転ハンドル１３ａと、出入り口２側に取り付けられる締付け留め具１３ｂとからなる。そして、回転ハンドル１３ａ側の爪先から根元に向けて徐々に上るスロープ状に形成されている掛止片部１６が、回転ハンドル１３ａの閉じ回転操作により締付け留め具１３ｂの掛止部に対して漸次掛止されるように摺接挿入されることで（図４（ｂ）の状態から（ａ）の状態）、ヒンジ部材１４を軸として開閉扉３をＯリング１２側へと締め付け圧接させた状態で出入り口２を密閉状に閉塞し得るようにしている。
【００３０】
なお、具体的な機構説明図については図示を省略しているが、回転ハンドル１３ａの閉じ回転操作により開閉扉３を密閉状に閉じると、回転ハンドル１３ａが開き方向に不用意に回転しないように自動的にロックがかかるようになっている。また、必要に応じて、回転ハンドル１３ａの回転軸などに一体に連設させるなどによって開閉扉３の開閉を、シェルタ本体１の外側から行うことができるように、外付け操作ハンドルを開閉扉３の外側に備えることができる。さらに、開閉扉３の開閉を、外開きやスライドなどによって行うことができるように出入り口２に備えることができる。
【００３１】
そして、本実施形態では、このように壁構成部材５と床構成部材６とから組み立て構成されるシェルタ本体１において、避難空間Ｍに空気を取り入れる空気口４に空気浄化フィルタ（防毒フィルタ）１７を備えている。これにより、万が一、都市ガスやプロパンガス、その他の有毒ガスのガス漏れ災難が発生した場合でも救助が来るまでの間、避難空間Ｍの居住者（避難者）の人命の安全が確保されるようにしている。
【００３２】
≪空気口の説明≫
ここでは、図１および図２を適宜参照しながら説明する。
空気口４ａ，４ｂは、図１および図２に示すように、避難空間Ｍのドーム壁部ｍ１にそれぞれ開口配置されて、避難空間Ｍに外部空気を取り入れるようになっている。
【００３３】
空気口４ａは、外部空気を自然流通状態で避難空間Ｍに取り入れることができる外部解放口であり、塵埃やその他の有害成分によって汚された汚染空気などの発生時に手動または自動で密閉状に閉じられる図示省略の弁蓋を備えている。これにより、汚染空気などが空気口４ａから避難空間Ｍに取り込まないようにしている。
【００３４】
なお、図示を省略しているが、空気口４ａに防塵フィルタを備えて、家屋倒壊などによって発生する塵埃が取り除かれたクリーンな空気が空気口４ａから避難空間Ｍに取り入れられるようにするとよい。この場合は、外部空気を強制的に避難空間Ｍに取り込むための電動ファンなどを空気口４ａに直接または間接的に備えることが好ましい。
【００３５】
空気口４ｂは、塵埃や悪臭などの有害成分によって汚された汚染空気などが発生したときに、清浄化して安全な空気として避難空間Ｍに取り入れることができるように空気浄化フィルタ（空気清浄フィルタ）１７を備えている。
【００３６】
≪空気浄化フィルタの説明≫
空気浄化フィルタ１７は、例えば、スポンジ、ウレタン、活性炭繊維などから形成されている防塵フィルタである。この空気浄化フィルタ１７は、図示省略の電動ファンなどが組み込み内蔵されている集塵ユニット１８に交換可能に組み込まれ、該集塵ユニット１８を介して空気口４ｂに接続される。
これにより、汚染空気などが発生した場合、空気中に浮遊する塵埃（粉塵）や悪臭などの有害成分を除塵、集塵、捕集などによって分離除去し、避難者の人命に害がない安全な空気が空気口４ｂから避難空間Ｍに取り入れるようになっている。
【００３７】
なお、具体的な構造については図示を省略しているが、空気浄化フィルタ１７は、フィルタ保持枠などに内設された状態で集塵ユニット１８に交換可能に組み込まれ、使用済後においてフィルタ保持枠などとともに交換されるようになっている。
また、集塵ユニット１８は、充填式などのバッテリ、そして太陽電池（蓄電池）その他の電力供給手段からの電力供給によって稼働するように構成されている。
【００３８】
［作用説明］
つぎに、以上のように構成されている本実施形態に係る屋内設置型の防災シェルタＡについて簡単に説明する。ここでは、図１〜図５を適宜参照しながら説明する。
防災シェルタＡを既設家屋の室内に設置する場合には、図３に示すように、分割状態にある壁構成部材５の壁分割体５ａおよび床構成部材６の床分割体６ａを単位で搬入し得る開口（大きさ）を有する掃出し口や窓、その他の躯体開口部から設置する室内にそれぞれ搬入する。
搬入後、まず、ボルト・ナット９によって床分割体６ａの接合フランジ１１ａ同士を締結、つぎに、ドーム壁部ｍ１のドーム頂部Ｐを中心に各壁分割体５ａを円周方向に順次に隣り合わせながら接合フランジ７同士を締結、最後に、壁分割体５ａの下辺縁部側を床分割体６ａの円周縁部の接合フランジ１１ｂに締結せしめてドーム壁部ｍ１と床部ｍ２とから構成される避難空間Ｍを内部に有する防災シェルタＡを組み立て設置する。
このようにして防災シェルタＡを既設家屋の室内に組み立て設置した後に、図１および図２に示すように、避難空間Ｍの空気口４ｂに空気浄化フィルタ１７を備えた集塵ユニット１８を接続して避難空間Ｍの床部ｍ２に集塵ユニット１８を設置して、汚染空気などが発生した場合の災難に備える。また、避難空間Ｍを寝室代わりなどの日常的な生活空間として使用、また、災害発生時には直ぐに避難空間Ｍへと逃げ込むことができるように、出入り口２の開閉扉３は、図４の（ｂ）に示すように、開けた状態にしておく。
【００３９】
そして、地震が発生した場合には、図４の（ａ）および図５の（ａ）に示すように、開閉扉３を閉じ、締付け密閉機構１３によって開閉扉３を出入り口２に圧接させて出入り口２を密閉状に閉塞し、家屋の倒壊などに備える。これにより、家屋の倒壊による天井などの落下物、家具などが倒れるなどから人命の安全が屋内にて確保される。
【００４０】
また、家屋の倒壊などによる塵埃やその他の有害成分によって汚された汚染空気などが発生した場合には、外部解放の空気口４ａを閉じ、集塵ユニット１８が接続されている空気口４ｂからの外部空気の取り入れに切り換える。これにより、避難空間Ｍの避難者は汚染空気などの発生におびえることなく、救助が来るまでの間、清浄化された安全な空気を避難空間Ｍに取り入れながら人命の安全が確保される。
【００４１】
以上、本考案の実施形態の具体例を詳細に説明したが、前記詳述の実施形態は例示にすぎなく、実用新案登録請求の範囲を限定するものではない。実用新案登録請求の範囲に記載の技術事項には、本考案の要旨を逸脱しない範囲で設計変更などしたものであっても含まれるものである。
例えば、避難空間Ｍの床部ｍ２の平面視形状を、前記実施例詳述の真円形状に代えて正四角形状などの角状に形成することができる。つまり、避難空間Ｍのドーム壁部ｍ１は、床部ｍ２に接合される下部側を平面視四角形状とし、同四角下部側からドーム頂部Ｐに向けて弓なりに湾曲させたドーム状に構成される。
【００４２】
また、シェルタ本体１の平面視全体形状を横長の長方形状（矩形形状）に形成することができる。このように、シェルタ本体１を長方形状に形成することで、避難空間Ｍをより広くしてベッドなどの寝具の搬入配置が可能となり、就寝中の災難に備えて寝室代わりとして快適に使用することができる。
【００４３】
また、避難空間Ｍのドーム壁部ｍ１を平面視で３等分や５等分などに分割した壁分割体から組み立て構成、そして、床部ｍ２においては平面視で３等分や４等分などに分割した床分割体から組み立て構成することができる。
【００４４】
また、シェルタ本体１（ドーム壁部ｍ１および床部ｍ２）の外表面に耐火・耐熱性の保護材料（石膏や耐火セメントなどからなる保護外殻や保護被膜）を施すことができる。これにより、地震時に火災が発生した場合、火災などからシェルタ本体１を保護することができる。換言すれば、火災などから避難者の安全を確保することができる。
また、シェルタ本体１に防水性を施すことで、津波などの災難発生などに対する防災シェルタとして対応させることができる。
【００４５】
また、シェルタ本体１をドーム状に限らず、正四角形や長方形（矩形）などの箱状に形成することができる。つまり、避難空間Ｍを箱状とすることができる。
【符号の説明】
【００４６】
Ａ      防災シェルタ
１      シェルタ本体
２      出入り口
３      開閉扉
４ａ，４ｂ  空気口
５      壁構成部材
５ａ    壁分割体
６      床構成部材
６ａ    床分割体
７，１１ａ，１１ｂ  接合フランジ
１７    空気浄化フィルタ
１８    集塵ユニット
Ｐ      ドーム頂部
【図１】
0003177637.tif 000003
【図２】
0003177637.tif 000004
【図３】
0003177637.tif 000005
【図４】
0003177637.tif 000006
【図５】
0003177637.tif 000007